(57)【要約】      （修正有）【課題】ＰＴＰシートの包装形態を変更することができ、収容物に関する情報を隠すこと等ができるＰＴＰ用包装体を提供する。【解決手段】ＰＴＰシート５６のプラスチック成形体５８側の面を覆い、突出部５８ａが差し込まれる透孔２０が設けられている表片１４と、表片１４に折り重ね用折罫線１６を介して連接しＰＴＰシート５６の蓋材シート６２側の面を覆う裏片１８を有する。表片１４と裏片１８の一方の側縁部に、表片１４と裏片１８を覆う２つの覆い片２８、３２が折罫線３８、４０で区切られて連接している。覆い片２８、３２の、表片１４及び裏片１８から離れた１つには、差込突起４４と係止片４８を備える。表片１４と折り重ね用折罫線１６の一方に、係止片４８が差し込まれる係止用スリット２２を備える。表片１４と裏片１８の間の折り重ね用折罫線１６には、差込突起４４が差し込まれる差込用スリット２４を有する。【選択図】図１
0003224323.tif 000002
【実用新案登録請求の範囲】
【請求項１】
収容物を内側に収容した突出部と前記突出部の周囲に設けられたフランジ部を有するプラスチック成形体に、破断可能な蓋材シートが貼り付けられて、前記突出部の開口部が閉鎖されたＰＴＰシートが取り付けられてこれを保護するＰＴＰ用包装体において、
前記ＰＴＰ用包装体は、前記ＰＴＰシートの前記プラスチック成形体側の面を覆い前記突出部が差し込まれる透孔が設けられている表片と、前記表片に折り重ね用折罫線を介して連接し前記ＰＴＰシートの前記蓋材シート側の面を覆う裏片が設けられ、
前記表片と前記裏片の一方の側縁部には、前記裏片と前記表片を覆う２つの覆い片が折罫線で区切られて連接して設けられ、前記覆い片の、前記表片及び前記裏片から離れた１つには、一部が連接方向に交差する破断線で区切られて形成された差込突起と、一部が連接方向に交差する破断線で区切られて形成された係止片が設けられ、
前記表片と前記裏片の一方に、前記係止片が差し込まれる係止用スリットが設けられ、前記表片と前記裏片の間の折り重ね用折罫線には、前記差込突起が差し込まれる差込用スリットが設けられていることを特徴とするＰＴＰ用包装体。
【請求項２】
前記ＰＴＰ用包装体は、一枚の包装体形成片から成り、前記包装体形成片の表側面には、収容物に関する情報を印刷した印刷部が設けられ、裏側面には前記印刷部が設けられていない請求項１記載のＰＴＰ用包装体。
【請求項３】
前記表片又は前記裏片と前記覆い片の間と、前記一対の覆い片の間には、前記ＰＴＰシートの前記プラスチック成形体の突出部の高さとほぼ等しい幅寸法を有する襠部が設けられている請求項１記載のＰＴＰ用包装体。
【考案の詳細な説明】
【技術分野】
【０００１】
本考案は、医療用の錠剤等が入ったＰＴＰシートシートを保持するＰＴＰ用包装体に関する。
【背景技術】
【０００２】
ＰＴＰシートは、医療用の錠剤等を収容する用途に広く使用されている。ＰＴＰシートに紙製等のＰＴＰ用包装体を取り付けて、取り扱いを容易にするとともに、ＰＴＰ用包装体に錠剤についての情報を印刷して、多くの情報を消費者に伝えるものがある。このようなＰＴＰ用包装体としては、種々の物がある。
【０００３】
例えば、特許文献１に開示されている服薬コンプライアンス対応パッケージは、ＰＴＰシートのプラスチック成形体側の面を覆いプラスチック成形体の突出部が差し込まれる透孔が設けられた上壁部材と、上壁部材に折罫を介して連続しＰＴＰシートの蓋材シート側の面を覆う下壁部材が設けられている。下壁部材には、取り出し開口を形成する破断線が設けられている。下壁部材と上壁部材は、それぞれに形成したスリットと差込片の係合によって係止されている。下壁部材の、上壁部材とは反対側の側縁部には、上壁部材を外側から覆う上壁保護部材と、下壁部材を外側から覆う下壁保護部材が順に連接されて設けられている。下壁部材と上壁保護部材の間と、上壁保護部材と下壁保護部材の間には、ＰＴＰシートのプラスチック成形体の突出部の高さとほぼ等しい幅寸法を有する襠が設けられている。さらに、下壁保護部材の端縁には差込片が設けられ、下壁部材にはスリットが設けられ、この差込片がスリットに差し込まれることにより、上壁保護部材と下壁保護部材が、上壁部材と下壁部材を包んだ状態で係止され、ＰＴＰシートの包装を行う。
【先行技術文献】
【特許文献】
【０００４】
【特許文献１】特開２０１２−６６８３６号公報
【考案の概要】
【考案が解決しようとする課題】
【０００５】
上記背景技術の場合、下壁保護部材の差込片が下壁部材の側縁のスリットに差し込まれることにより、上壁保護部材と下壁保護部材がＰＴＰシートの包装を行うため、上壁保護部材と下壁保護部材の何れの面を表側にしてＰＴＰシーを再封することができる。従って、使用者に対して、特定の包装状態を確実に選択して使用できるようにする構成ではない。さらに、差込片をスリットに差し込まずに簡単に開く状態で閉じておく時は、下壁保護部材から側方に突出する差込片が邪魔となるおそれがある。また、上壁保護部材と下壁保護部材を立体的に組み立てて、ＰＴＰシートを立てて保管し、目立たせることで飲み忘れを防ぐことは考えられていない。
【０００６】
この考案は、上記背景技術の問題点に鑑みてなされたものであり、ＰＴＰシートを包装する形態を変更することができ、収容物に関する情報を隠すこと等ができるＰＴＰ用包装体を提供することを目的とする。
【課題を解決するための手段】
【０００７】
本考案は、収容物を内側に収容した突出部と前記突出部の周囲に設けられたフランジ部を有するプラスチック成形体に、破断可能な蓋材シートが貼り付けられて、前記突出部の開口部が閉鎖されたＰＴＰシートが取り付けられて、これを保護するＰＴＰ用包装体である。前記ＰＴＰ用包装体は、前記ＰＴＰシートの前記プラスチック成形体側の面を覆い前記突出部が差し込まれる透孔が設けられている表片と、前記表片に折り重ね用折罫線を介して連接し前記ＰＴＰシートの前記蓋材シート側の面を覆う裏片が設けられている。前記表片及び前記裏片の一方の側縁部には、前記裏片と前記表片を覆う２つの覆い片が折罫線で区切られて連接して設けられている。前記覆い片の、前記表片及び前記裏片から離れた１つには、一部が連接方向に交差する破断線で区切られて形成された差込突起と、一部が連接方向に交差する破断線で区切られて形成された係止片が設けられている。前記表片には、前記裏片から離れた側縁部の近傍に前記係止片が差し込まれる係止用スリットが設けられ、前記表片と前記裏片の間の折り重ね用折罫線には、前記差込突起が差し込まれる差込用スリットが設けられているものである。
【０００８】
前記ＰＴＰ用包装体は、一枚の包装体形成片から成り、前記包装体形成片の表側面には、収容物に関する情報を印刷した印刷部が設けられ、裏側面には前記印刷部が設けられていない。
【０００９】
前記表片又は前記裏片と前記覆い片の間と、前記一対の覆い片の間には、前記ＰＴＰシートの前記プラスチック成形体の突出部の高さとほぼ等しい幅寸法を有する襠部が設けられていると良い。
【考案の効果】
【００１０】
本考案のＰＴＰ用包装体は、ＰＴＰシートを包装する形態を確実に変更することができ、収容物に関する情報を隠すこと等ができる。収容物に関する情報を隠すことにより、プライバシーを保護することができる。また、立体的に組み立てて収容物を立てることができ、取り扱いを容易にすることができる。
【図面の簡単な説明】
【００１１】
【図１】この考案の一実施形態のＰＴＰ用包装体の表側面を外向きにした使用状態を示す斜視図（ａ）と、一対の覆い片を開いて裏側面を外向きにする工程を示す斜視図（ｂ）（ｃ）と、裏側面を外向きにした使用状態を示す斜視図（ｄ）である。
【図２】この実施形態のＰＴＰ用包装体の包装体形成片の表側面を示す正面図である。
【図３】この実施形態のＰＴＰ用包装体の包装体形成片の裏側面を示す正面図である。
【図４】この実施形態のＰＴＰ用包装体の表側面を外向きにして裏片を上向きにした使用状態を示す斜視図である。
【図５】この実施形態のＰＴＰ用包装体の立体的に組み立てた状態を示す斜視図である。
【考案を実施するための形態】
【００１２】
以下、この考案の実施形態について図面に基づいて説明する。図１〜図５はこの考案の一実施形態を示すもので、この実施形態のＰＴＰ用包装体１０は、紙製等の一枚のシートで形成された包装体形成片１２を組み立てて設けられている。図２は、包装体形成片１２を表側面１２ａから見た展開図であり、図３は、包装体形成片１２を裏側面１２ｂから見た展開図である。包装体形成片１２には、後述するＰＴＰシート５６を表面から覆う表片１４と、表片１４に折り重ね用折罫線１６を介して連接しＰＴＰシート５６の裏面を覆う裏片１８が設けられている。
【００１３】
表片１４は、一方向に長い矩形であり、ＰＴＰシート５６よりも少し大きく形成されている。表片１４には、ＰＴＰシート５６の突出部５８ａが差し込まれる複数個の透孔２０が設けられ、ここでは２８個の透孔２０が、長手方向に沿って７個ずつ、４列に並んで設けられている。表片１４の、折り重ね用折罫線１６とは反対側の側縁部１４ａの近傍には、側縁部１４ａに沿う方向に長く形成された係止用スリット２２が設けられている。
【００１４】
折り重ね用折罫線１６の中心付近には、折り重ね用折罫線１６に沿う方向に長く形成された差込用スリット２４が設けられている。
【００１５】
裏片１８は、表片１４とほぼ同じ形状の矩形であり、表片１４に、折り重ね用折罫線１６で折って互いに重ねた時に、透孔２０に対向する位置に、ほぼ同形状の透孔２５が同じ数で形成されている。
【００１６】
裏片１８の、折り重ね用折罫線１６とは反対側の側縁部には、襠部２６、覆い片２８、襠部３０、覆い片３２が順に、互いに平行に連接して設けられ、各々折罫線３４，３６，３８，４０で区切られている。襠部２６と、覆い片２８、襠部３０、覆い片３２は、連接している幅方向は表片１４，１８と同じ長さであり、連接方向の長さは、襠部２６，３０はＰＴＰシート５６の突出部５８ａの高さとほぼ等しい短いものであり、覆い片２８，３２は表片１４，１８の長さとほぼ等しい。
【００１７】
一対の覆い片２８，３２のうち、裏片１８から離れた方の覆い片３２には、折罫線４０に対して略平行な再封用折罫線４２が設けられている。再封用折罫線４２は、折罫線４０と、折罫線４０とは反対側の側縁部３２ａとの間のほぼ中心を通過し、覆い片３２の両側の端部に達している。再封用折罫線４２の、側縁部３２ａ側には、差込用スリット２４に差し込まれる矩形の差込突起４４が破断線４６で囲まれて設けられている。破断線４６は側縁部３２ａに向かって膨出するようなコの字形であり、破断線４６の中央部分は、覆い片２８や襠部３０との連接方向に交差し、破断線４６の両端部は再封用折罫線４２に連続している。これにより差込突起４４は、矩形となる。
【００１８】
側縁部３２ａの近傍には、係止用スリット２２に差し込まれる係止片４８が、切断線５０により形成されている。切断線５０は、覆い片２８や襠部３０との連接方向に交差し、中央部分が側縁部３２ａから離れる方へ膨出する円弧で形成され、円弧の内側の係止片４８は、円弧状の突片となる。切断線５０の両端部は側縁部３２ａに達しない位置にあり、僅かに側縁部３２ａから離れる方へ湾曲している。
【００１９】
包装体形成片１２の表側面１２ａは、図２に示すように、商品名等の収容物に関する情報を印刷した印刷部５２が設けられている。特に、覆い片２８，３２にはわかり易く設けられている。包装体形成片１２の裏側面１２ｂは、図３に示すように、印刷部５２は設けられていない。収容物とは関係のないデザインの模様が印刷されてもよい。
【００２０】
ここで、ＰＴＰ用包装体１０に収容するＰＴＰシート５６について説明する。ＰＴＰシート５６は、プラスチック成形体５８が設けられ、プラスチック成形体５８には、収容物である錠剤６０を収容する突出部５８ａと、突出部５８ａの周縁部のフランジ部５８ｂが設けられている。プラスチック成形体５８のフランジ部５８ｂには、突出部５８ａの突出方向と反対の面に薄いアルミ製の蓋材シート６２が貼り付けられ、突出部５８ａの開口部が閉鎖されている。
【００２１】
次に、ＰＴＰ用包装体１０の組立方法について説明する。ここでは、図２が包装体形成片１２の表側面１２ａを見たものであり、表側面１２ａが凸になる折り方を正折り、そして裏側面１２ｂが凸になる折り方を逆折りと称する。まず、ＰＴＰシート５６を挟んで、折り重ね用折罫線１６を正折りして、表片１４と裏片１８で挟み、糊付けする。この時、表片１４の裏側面１２ｂにＰＴＰシート５６のプラスチック成形体５８側が面し、突出部５８ａを透孔２０に差し込む。そして、折罫線３４，３６，３８，４０を、各々９０°に正折りし、一対の襠部２６，３０と、覆い片２８，３２により、ＰＴＰシート５６を保持した表片１４と裏片１８を四角筒状に包み、図１（ａ）と図４に示すように、包装が完了する。図１（ａ）は、覆い片２８が上に位置する斜視図であり、図４は、覆い片３２が上に位置する斜視図である。覆い片２８と覆い片３２は、表側面１２ａが外向きとなり、収容物に関する情報が印刷された印刷部５２が視認される。この状態で、覆い片３２の端縁部と襠部２６及び覆い片２８に亘り封緘シール等で封止して保管や販売を行う。覆い片２８でＰＴＰシート５６の突出部５８ａが覆われているため、不用意に突出部５８ａに力が加えられても錠剤６０が出ることが無い。
【００２２】
次に、ＰＴＰ用包装体１０の使用方法について説明する。錠剤６０を服用する時は、図１（ｂ）に示すように、覆い片２８，３２を開いて、表片１４と裏片１８を露出させる。そして、表片１４の透孔２０から出ている突出部５８ａを押し、錠剤６０が押されて蓋材シート６２を破断して取り出す。蓋材シート６２を覆う裏片１８には透孔２５が設けられているため、透孔２５から錠剤６０を取り出すことができる。
【００２３】
ＰＴＰ用包装体１０を再封する時は、図１（ｃ）に示すように、折罫線３４，３６，３８，４０を９０°に逆折りし、裏側面１２ｂを外向きにして、ＰＴＰシート５６を保持した表片１４と裏片１８を、四角筒状に包む。覆い片３２は表片１４に重ねられ、覆い片３２の係止片４８を、表片１４の係止用スリット２２に差し込み、図１（ｄ）に示すように再封する。この時、再封用折罫線４２は僅かに鈍角に逆折りされ、ＰＴＰシート５６の突出部５８ａのスペースを保ちながら、係止片４８は係止用スリット２２に近づいて差し込むことができる。裏側面１２ｂが外向きとなるため、印刷部５２は視認されず、内容物に関する情報が見えることが無く、プライバシーが保護される。裏側面１２ｂに模様を印刷すると、きれいな外観とすることもできる。
【００２４】
また、ＰＴＰ用包装体１０を家で保管する際に、スタンドのような形状にして立てて置くことができる。図５に示すように、折罫線３４，３６，３８，４０を、各々９０°よりも少し大きい鈍角に逆折りし、裏片１８と、覆い片２８，３２を三角形の筒状にし、覆い片３２の差込突起４４を再封用折罫線４２で鋭角に逆折りし、差込用スリット２４に差し込む。これにより、立体的な形状に組み立てられ、自立する。例えば、覆い片３２を机等の上面に置くと、表片１４が斜め上方を向いて保持され、ＰＴＰシート５６の錠剤６０を見ることができる。表片１４の透孔２０から突出するプラスチック成形体５８の突出部５８ａを押して、錠剤６０を裏片１８の透孔２５から容易に取り出すことができる。
【００２５】
この実施形態のＰＴＰ用包装体１０によれば、簡単な構造で、ＰＴＰシート５６に取り付けてＰＴＰシート５６を保護することができ、ＰＴＰシート５６の蓋材シート６２が不用意に破れたり錠剤６０が飛び出したりすることを防ぐ。ＰＴＰシート５６は、表片１４と裏片１８に挟まれて保持され、更に表片１４と裏片１８の外側を覆い片２８，３２で覆われているため、確実に保持される。ＰＴＰ用包装体１０の外形から差込片等が突出しないため、外観がすっきりし、携帯に便利である。
【００２６】
特に、折罫線３４，３６，３８，４０の折る向きを逆にするだけで、覆い片２８，３２の裏側面１２ｂを外向きにして包装することができる。裏側面１２ｂには、印刷部５２が設けられておらず、携帯する際等に、錠剤６０についての情報を隠し、プライバシーを保護することができる。覆い片２８，３２の裏側面１２ｂを外向きにして包装する場合にのみ、表片１４の係止用スリット２２に、覆い片３２の係止片４８を差し込んで係止することができ、印刷部５２を隠したい場合の包装方向を間違えることがない。この他、覆い片２８，３２の表側面１２ａには、錠剤６０についての情報が印刷部５２に印刷されているため、表側面１２ａを外向きにして包装することにより錠剤６０の商品名や成分、使用方法等を確認することができる。
【００２７】
また、覆い片２８，３２を立体的に組み立てて表片１４と裏片１８をスタンドのように自立させることができ、テーブル等に置いて、飲み忘れの防止や服用済みの確認を行うことができ、管理しやすく、間違いを防ぐことができる。
【００２８】
覆い片３２には再封用折罫線４２が設けられているため、覆い片３２の裏側面１２ｂを外向きにして包装する際に、再封用折罫線４２が鈍角に折り曲げられ、ＰＴＰシート５６の突出部５８ａを覆うスペースを確保し、なおかつ覆い片３２の側縁部３２ａは表片１４に近づき、容易に係止片４８を係止用スリット２２に差し込んで係止することができる。裏側面１２ｂにきれいな模様を印刷すると、外観を良好にすることができる。
【００２９】
なお、この考案のＰＴＰ用包装体は、上記各実施の形態に限定されるものではなく、収容する錠剤の数は適宜変更可能であり、また収容されるものは、錠剤やカプセル等の薬剤に限らず、他の商品でも良い。覆い片は、表片と裏片の何れから延出していても良く、ＰＴＰシートを取り付ける向きは問わない。さらに、裏片に透孔は設けられていないものでも良く、透孔の代わりに円形の破断線などが設けられてもよい。また、覆い片に設けられた再封用折罫線の位置や、差込突起、係止片の位置や形状は、適宜変更可能である。
【符号の説明】
【００３０】
１０  ＰＴＰ用包装体
１２  包装体形成片
１４  表片
１６  折り重ね用折罫線
１８  裏片
２０  透孔
２２  係止用スリット
２４  差込用スリット
２６，３０  襠部
２８，３２  覆い片
３４，３６，３８，４０  折罫線
４２  再封用折罫線
４４  差込突起
４６  破断線
４８  係止片
５０  切断線
５６  ＰＴＰシート
５８  プラスチック成形体
５８ａ  突出部
５８ｂ  フランジ部
６０  錠剤
６２  蓋材シート
【図１】
0003224323.tif 000003
【図２】
0003224323.tif 000004
【図３】
0003224323.tif 000005
【図４】
0003224323.tif 000006
【図５】
0003224323.tif 000007